(57)【特許請求の範囲】
【請求項１】
筆記具本体に着脱可能にキャップが被着される筆記具のキャップ構造において、
キャップが被着された状態で互いに相対向するキャップと筆記具本体とのそれぞれの対向周面が、略円形断面形状となっており、
筆記具本体の対向周面に係止突起が形成され、キャップの対向周面に前記係止突起と係合可能な第２係止突起が形成され、該第２係止突起は、キャップが被着された状態で該係止突起と軸方向で重なり合うようにして係合し、さらに筆記具本体とキャップのそれぞれの対向周面のいずれか一方に軸方向に伸びる凹部が形成され、いずれか他方にキャップが被着された状態で該凹部に嵌合する凸部が形成され、さらに前記いずれか一方の凹部と周方向に離間して軸方向に略一致した位置に周面が平坦に切り欠かれた平坦部または別の凹部が形成されることを特徴とする筆記具のキャップ構造。
【請求項２】
前記筆記具本体は、先軸と、該先軸に対して回転操作可能となった後軸と、先軸内に収容される筆記媒体と、後軸の回転操作によって筆記媒体を先軸の先端より出没可能とする出没機構と、後軸の後端に取り付けられた受台とを備え、該受台の周面に前記係止突起が形成されることを特徴とする請求項１記載の筆記具のキャップ構造。
【請求項３】
後軸の後端には、後端から軸方向に伸びる１つ以上の切欠が形成され、前記受台に該切欠に係合する係合部が形成されることを特徴とする請求項２記載の筆記具のキャップ構造。
【請求項４】
前記キャップの内周面と筆記具本体の外周面とがそれぞれ前記対向周面となることを特徴とする請求項１ないし３のいずれか１項に記載の筆記具のキャップ構造。
【請求項５】
前記キャップの外周面は、非円形断面形状となっていることを特徴とする請求項４記載の筆記具のキャップ構造。
【発明の詳細な説明】
【０００１】
【発明の属する技術分野】
本発明は、筆記具のキャップ構造に関する。
【０００２】
【従来の技術】
従来、筆記具において、筆記具本体に着脱可能にキャップが被着されて、例えば、筆記具本体の後端に設けられた消しゴムを保護したり、または、筆記具本体の先端の筆記先を保護したりするものが知られている。この場合のキャップ構造としては、キャップの内周面または筆記具本体の外周面に小突起を形成し、キャップを被着した状態で、小突起が他方の周面に押圧されることによりキャップが筆記具本体から簡単に外れないようになっている。
【０００３】
【発明が解決しようとする課題】
しかしながら、かかる従来のキャップ構造では、小突起をあまり大きく突出させると、キャップの取り外し、取り付けが困難になる一方で、小突起が小さいと、キャップが外れやすくなるという不具合がある。例えば、キャップをやや下方になるようにして筆記具を持っただけでキャップが自重落下すると、付け直しが面倒であり、また、キャップが紛失し易くなるという課題がある。
【０００４】
本発明はかかる課題に鑑みなされたもので、キャップを簡単に取り付けることができると共に、簡単には外れることがない筆記具のキャップ構造を提供することをその目的とする。
【０００５】
【課題を解決するための手段】
上記目的を達成するために本発明のうち請求項１記載の発明では、筆記具本体に着脱可能にキャップが被着される筆記具のキャップ構造において、キャップが被着された状態で互いに相対向するキャップと筆記具本体とのそれぞれの対向周面が、略円形断面形状となっており、筆記具本体の対向周面に係止突起が形成され、キャップの対向周面に前記係止突起と係合可能な第２係止突起が形成され、該第２係止突起は、キャップが被着された状態で該係止突起と軸方向で重なり合うようにして係合し、さらに筆記具本体とキャップのそれぞれの対向周面のいずれか一方に軸方向に伸びる凹部が形成され、いずれか他方にキャップが被着された状態で該凹部に嵌合する凸部が形成され、さらに前記いずれか一方の凹部と周方向に離間して軸方向に略一致した位置に周面が平坦に切り欠かれた平坦部または別の凹部が形成されることを特徴とする。
【０００６】
キャップが筆記具本体に被着された状態で、筆記具本体の係止突起とキャップの第２係止突起とが軸方向に重なり合うようにして係合しているため、キャップは簡単には軸方向に相対移動することができず、簡単にはキャップが外れないようになっている。即ち、キャップを下方にしても、キャップが自重落下することはないので、キャップが不用意に外れたり、紛失したりするといった不具合を発生することはない。キャップを取り外すときには、キャップを相対的に筆記具本体に対して回転して、係止突起と第２係止突起との軸方向の重なり合いを解除する。同時に凸部と凹部との嵌合を解除して、凸部を平坦部または別の凹部に係止させる。この凸部の係止によって、キャップの回転操作の際に節度感を得ることができ、この凸部が係止した状態からキャップを軸方向に移動させると、簡単にキャップを筆記具本体から取り外すことができる。
【０００７】
筆記具本体は、任意の構成をとることができるが、請求項２記載の発明は、前記筆記具本体が、先軸と、該先軸に対して回転操作可能となった後軸と、先軸内に収容される筆記媒体と、後軸の回転操作によって筆記媒体を先軸の先端より出没可能とする出没機構と、後軸の後端に取り付けられた受台とを備え、該受台の周面に前記係止突起が形成されることを特徴とする。
【０００８】
また、請求項３記載の発明は、請求項２記載の後軸の後端には、後端から軸方向に伸びる１つ以上の切欠が形成され、前記受台に該切欠に係合する係合部が形成されることを特徴とする。後軸と受台とが、切欠と係合部との係合によって、互いの相対回転が禁止されるため、受台を回転させることによって、後軸を回転操作させることができ、筆記媒体を出没させることができる。
【０００９】
また、キャップの外周面と筆記具本体の内周面とがそれぞれ前記対向周面となっても良いが、請求項４記載の発明は、キャップの内周面と筆記具本体の外周面とがそれぞれ前記対向周面となることを特徴とする。
【００１０】
また、請求項５記載の発明は、前記キャップの外周面が、非円形断面形状となっていることを特徴とする。キャップの外周面が非円形断面形状となっているため、キャップを回転させやすく、その周方向の位置整合も簡単に行うことができる。
【００１１】
【発明の実施の形態】
以下、図面を用いて本発明の実施の形態を説明する。
【００１２】
図１ないし図８は本発明の実施形態を表す図である。図において、１０は筆記具であり、筆記具１０は、筆記具本体１２と、筆記具本体１２の後端に着脱可能に被着されるキャップ１４とを備えている。
【００１３】
筆記具本体１２は、先軸２０と、先軸２０に対して着脱可能且つ回転可能に後述のガイド軸３２を介して連結された後軸２２とを備えており、先軸２０及び後軸２２内には、筆記媒体となるシャープペンシル軸２４及びボールペン軸２６が収容されている。シャープペンシル軸２４及びボールペン軸２６は、出没機構２８によって軸方向に移動可能となっており、先軸２０の先端よりそれらの先端が出没可能となっている。出没機構２８は、任意の公知の機構を採用することができるが、この実施形態では、シャープペンシル軸２４及びボールペン軸２６をそれぞれ後方へと付勢するリターンスプリング２９，２９と、シャープペンシル軸２４及びボールペン軸２６の後端に連結された摺動カム３０，３０と、後軸２２内に固定され摺動カム３０，３０を軸方向に摺動可能に案内するガイド軸３２と、後軸２２の内周面に形成されたカム突起２２ａとを備えている。摺動カム３０，３０には、軸方向に対して傾斜したカム面３０ａが形成されると共に、カム面３０ａの後端部には、カム突起２２ａと係合可能な係合部３０ｂが形成されている。後軸２２を先軸２０に対して回転操作すると、後軸２２に形成されたカム突起２２ａが一体に回転し、カム突起２２ａが摺動カム３０，３０のいずれか一方の摺動カム３０のカム面３０ａに沿って相対的に移動し、結果として、当該摺動カム３０を前進させる。そして、カム突起２２ａが該摺動カム３０の係合部３０ｂと係合すると、摺動カム３０はその前進位置で固定され、該摺動カム３０に連結されたシャープペンシル軸２４またはボールペン軸２６のいずれかが前進位置で保持され、その先端が先軸２０から突出した状態となり、筆記可能となる。さらに、後軸２２をさらに回転して、カム突起２２ａと係合部３０ｂの係合を解除すると、リターンスプリング２９の作用によって、摺動カム３０は前進位置から後退し、シャープペンシル軸２４またはボールペン軸２６の先端が先軸２０から退没した状態となる。
【００１４】
筆記具本体１２は、さらに後軸２２の後端に取り付けられた受台３４を備えている。図２に示すように、後軸２２の後端には切欠２２ｂが形成されており、該切欠２２ｂに受台３４に形成された係合部３４ａが係合されており、これにより受台３４は後軸２２に対して相対回転不能に連結される。受台３４には、クリップ３６が一体に形成されており、受台３４またはクリップ３６を、先軸２０に対して回転させることにより、後軸２２を先軸２０に対して相対回転させることができるようになっている。
【００１５】
受台３４の後端側には消しゴム３８が挿入され、さらに消しゴム３８を保護するためのキャップ１４が着脱可能に被着される。
【００１６】
キャップ１４が被着された状態で互いに相対向する受台３４及びキャップ１４のそれぞれ対向周面となる受台３４の後端外周面３４ｂ及びキャップ１４の内周面１４ａは、略円形断面形状をなしている。そして、受台３４の後端外周面３４ｂには、１８０度の間隔で係止突起３４ｃが形成されており、係止突起３４ｃは、周方向に短い長さで伸びている。さらに、受台３４の後端外周面３４ｂには、係止突起３４ｃに対して、周方向に９０度の間隔だけ離間した位置において凹部３４ｄが形成されている。凹部３４ｄは軸方向に短い長さで後端まで伸びている。さらに受台３４の後端外周面３４ｂには、凹部３４ｄに対して周方向に４５度、９０度の間隔だけ離間して且つ凹部３４ｄに対して軸方向に略一致した位置に周面が平坦に切り欠かれ、所謂Ｄカットされた平坦部３４ｅが複数形成されている。一方のキャップ１４の内周面１４ａには、１８０度の間隔で前記係止突起３４ｃと係合可能な第２係止突起１４ｂが形成され、第２係止突起１４ｂは、周方向に短い長さで伸びている。また、第２係止突起１４ｂに対して、周方向に９０度の間隔だけ離間した位置に軸方向に伸びる凸部１４ｃが形成されている。図３に示すように、受台３４を後方から見ると、クリップ３６の分だけその周面が突出した非円形形状をなしており、キャップ１４の外周面はこの形状に合わせた非円形断面形状となっている（図６）。
【００１７】
以上のように構成されるキャップ構造において、キャップ１４が被着された状態においては、図７に拡大して示すように、キャップ１４の第２係止突起１４ｂと、受台３４の係止突起３４ｃとが、軸方向に重なり合うようにして係合しており、キャップ１４の軸方向に受台３４から離反する方向の移動が規制されるようになっている。また、キャップ１４の凸部１４ｃが受台３４の凹部３４ｄに嵌合している。
【００１８】
この被着状態から、消しゴム３８を使用するために、キャップ１４を外す必要が生じた場合には、まず、キャップ１４を図８（ａ）の被着された状態から回転させる。すると、第２係止突起１４ｂは、係止突起３４ｃと軸方向に重なり合っていた状態から脱し、且つ、凸部１４ｃと凹部３４ｄとの嵌合が外れる。凸部１４ｃは、凹部３４ｄから離れると、受台３４の後端外周面３４ｂの一般部分に接触するために、抵抗を受けるが、平坦部３４ｅが形成されたところに達すると、そこで軽く係止される。即ち、キャップ１４を４５度または９０度（図８（ｂ）は９０度回転させた状態を示している）回転させると、凸部１４ｃが平坦部３４ｅの所に達して、安定した状態となり、この状態で、係止突起３４ｃと第２係止突起１４ｂとの係合が解除されているので、キャップ１４を軸方向に簡単に動かすことができ、キャップ１４を受台３４から取り外すことができる（図８（ｃ））。こうして、キャップ１４の回転操作によって、キャップ１４を受台３４から取り外すことができるようになっている一方で、キャップ１４の単なる軸方向の移動操作によっては、係止突起３４ｃと第２係止突起１４ｂとが軸方向に重なり合って係合しているため、キャップ１４は簡単に受台３４から取り外すことはできないようになっている。従って、キャップ１４を下方にしても、キャップ１４は自重で落下することはなく、不用意にキャップ１４が外れることはない。
【００１９】
キャップ１４が取り外されて、消しゴム３８の使用が終了し、再びキャップ１４を被着する場合には、次の２つの方法のいずれかで行うことができる。即ち、キャップ１４を受台３４に対して軸方向に直線的に移動させることによって、第２係止突起１４ｂに係止突起３４ｃを無理やり越えさせて、第２係止突起１４ｂを係止突起３４ｃに係合させる方法と、先のキャップ１４を取り外した手順と反対の手順によって、キャップ１４を受台３４に対してやや回転させた状態で（好ましくは４５度または９０度回転させた状態で）軸方向に移動してその凸部１４ｃを平坦部３４ｅに軽く係止させ、次いでキャップ１４を回転して正しい周方向位置に整合して、第２係止突起１４ｂを係止突起３４ｃに係合させると同時に凸部１４ｃを凹部３４ｄに嵌合する方法である。前者の方法であれば、１つの操作でキャップ１４を迅速に被着することができる一方で、後者の方法であれば、キャップ１４をスムーズに被着することができる。キャップ１４の外周面が、非円形断面となっているため、キャップ１４の回転操作が簡単にでき、また、受台３４との周方向位置の整合・非整合が分かるようになっている。キャップ１４の回転と共に、凸部１４ｃが平坦部３４ｅに軽く係止されるため、キャップ１４の回転操作の際に節度感を得ることができる。
【００２０】
なお、以上の実施形態では、キャップが筆記具本体の後部に取り付けられる例であったが、これに限るものではなく、キャップが筆記具本体の前部に取り付けられるものであっても、同様に適用できることは言うまでもない。また、平坦部３４ｅの代わりに凹部とすることも可能である。
【００２１】
【発明の効果】
以上説明したように、本発明によれば、係止突起と第２係止突起との係合により、キャップが軸方向に移動して簡単に外れることがないので、キャップの紛失等を防ぐことができる。キャップを回転する際に、キャップまたは筆記具本体の凸部が平坦部または他の凹部に係止されるため、操作者が節度感を得ることができ、操作しやすいものとすることができる。
【図面の簡単な説明】
【図１】本発明のシャープペンシルの実施形態を表す全体縦断面図である。
【図２】図１の受台の側面図である。
【図３】図２の矢印３に沿って見た矢視図である。
【図４】図１のキャップの断面図である。
【図５】図４の矢印５に沿って見た矢視図である。
【図６】筆記具を後端側から見た図である。
【図７】キャップが被着された状態を表すキャップと受台の断面図である。
【図８】キャップを取り外す手順を表す説明斜視図であり、（ａ）は被着された状態、（ｂ）はキャップを回転した状態、（ｃ）はキャップを取り外した状態の図である。
【符号の説明】
１０  筆記具
１２  筆記具本体
１４  キャップ
１４ａ  内周面
１４ｂ  第２係止突起
１４ｃ  凸部
２０  先軸
２２  後軸
２２ｂ  切欠
２４  シャープペンシル軸（筆記媒体）
２６  ボールペン軸（筆記媒体）
２８  出没機構
３４  受台
３４ａ  係合部
３４ｂ  外周面
３４ｃ  係止突起
３４ｄ  凹部
３４ｅ  平坦部
【図１】
0004469051.tif 000002
【図２】
0004469051.tif 000003
【図３】
0004469051.tif 000004
【図４】
0004469051.tif 000005
【図５】
0004469051.tif 000006
【図６】
0004469051.tif 000007
【図７】
0004469051.tif 000008
【図８】
0004469051.tif 000009